(57)【要約】【課題】横置き式のインスツルメントホルダと縦置き式のインスツルメントホルダの両者を具備して、術者の使い勝手をよくするとともに、切削具（刃物）が術者の手指を傷つけないようにし、更には、インスツルメントホースが隣接配置されたインスツルメントの切削具によって傷つけられないようにする。【解決手段】横置き式インスツルメントホルダ９と、横置き式インスツメントホルダ９の前部下方に設けられた縦置き式インスツルメントホルダ５とから成り、縦置き式インスツルメントホルダ５はインスツルメント８のヘッド部を下方にして懸架可能である。インスツルメントを取り出す時、術者の手が切削具（刃物）８ａ1〜８ａ3に触れるようなことはない。刃物がないインスツルメント８4，８5は横置き式インスツルメントホルダ９に載置してもよい。【選択図】図１
2007275383.tif 000002
【特許請求の範囲】
【請求項１】
横置き式インスツルメントホルダと、該横置き式インスツメントホルダの前部下方に設けられた縦置き式インスツルメントホルダとから成り、該縦置き式インスツルメントホルダはインスツルメントのヘッド部を下方にして懸架可能であることを特徴とする歯科用インスツルメントホルダ。
【請求項２】
前記横置き式インスツルメントホルダの各インスツルメント載置部と、前記縦置き式インスツルメントホルダの各インスツルメント懸架部とは、同一垂直平面内にあることを特徴とする請求項１に記載の歯科用インスツルメントホルダ。
【請求項３】
前記横置き式インスツルメントホルダの各インスツルメント載置部の前部に開閉蓋を有し、該開閉蓋の各下部に前記縦置き式インスツルメントホルダのインスツルメント懸架部が配設されていることを特徴とする請求項２に記載の歯科用インスツルメントホルダ。
【請求項４】
前記横置き式インスツルメントホルダの各インスツルメント載置部及び前記縦置き式インスツルメントホルダのインスツルメント懸架部に、インスツルメント検知手段を有し、前記インスツルメント載置部或いはインスルツメント懸架部からインスツルメントが取り出された時に、当該インスツルメントを作動可能状態にすることを特徴とする請求項１乃至３のいずれかに記載の歯科用インスツルメントホルダ。
【発明の詳細な説明】
【技術分野】
【０００１】
本発明は、歯科用インスツルメントホルダ、より詳細には、横置き式のインスツルメントホルダと縦置き式のインスツルメントホルダとを備え、インスツルメントの種類或いはインスツルメントの状態（例えば、ヘッド部に切削刃が取り付けられているか否か等）により、所望のインスツルメントホルダを選択使用可能とし、更には、ヘッド部に切削刃を有するインスツルメントは縦置き式のインスツルメントホルダにヘッド部を下方にしてインスツルメントを懸架可能にして、インスツルメントのヘッド部に取り付けられている刃物に術者の手指が触って術者が怪我をしたり、インスツルメントを引き出したりする時に、該インスツルメントが接続されているインスツルメントホースが隣接するインスツルメントのヘッド部に取り付けられている刃物に当って傷つけられてしまうのを防止するようにした歯科用インスツルメントホルダに関する。
【背景技術】
【０００２】
図２は、本発明が適用されるインスツルメントホルダを有する歯科治療ユニットの一例を説明するための全体構成図で、該歯科治療ユニットは、歯科治療椅子１、ワークテーブル２、スピットン３、無影灯４、縦置き式インスツルメントホルダ５、インスツルメントホース６、フットスイッチ７等からなり、縦置き式インスツルメントホルダ５には、歯科治療において使用する種々のインスツルメント８が収納されており、周知のように歯科治療に当たり、患者は歯科治療椅子１に座り、頭を安頭台１ａに固定して治療を受ける。治療中、術者は、歯科治療椅子１を上下動，倒起動，傾斜動等させて、患者を治療しやすい姿勢にして治療を行う。
【０００３】
図２には、インスツルメントホルダとして、インスツルメント８を垂直方向に懸架する縦置き式インスツルメントホルダ５を示したが、この縦置き式インスツルメントホルダ５に代って、図３に示すように、インスツルメント８と水平に載置する横置き式インスツルメントホルダ９も使用されており、いずれの形式のインスツルメントホルダを使用するかは、術者の選択によっている。
【０００４】
上述のごとき縦置き式インスツルメントホルダ５においても、或いは、横置き式インスツルメントホルダ９においても、一般には、インスツルメント８のヘッド部に切削具（刃物）８ａを装着した状態で懸架或いは載置されており、いずれの場合においても、施術に必要な所望のインスツルメントを引き出そうとして術者が手を伸ばした時に、術者の手指がインスツルメントのヘッド部に装着されている切削具８ａに当って、手指を傷つけてしまったり、所望のインスツルメントを引き出す時に、引き出したインスツルメントが接続されているインスツルメントホース６が隣接配置されているインスツルメントの切削具（刃物）に当って、該引き出したインスツルメントのインスツルメントホースが傷ついてしまう等の問題があった。
【発明の開示】
【発明が解決しようとする課題】
【０００５】
本発明は、上述のごとき実情に鑑みてなされたもので、特に、横置き式のインスツルメントホルダと縦置き式のインスツルメントホルダの両者を具備して、術者の使い勝手をよくするとともに、切削具（刃物）の付いたインスツルメントに対しては、該切削具（刃物）が術者の手指を傷つけないようにし、更には、インスツルメントを引き出す時或いは引き出したインスツルメントを戻す時に、該インスツルメントが接続されているインスツルメントホースが隣接配置されているインスツルメントのヘッド部に取り付けられている切削具によって傷つけられないようにしたインスツルメントホルダを提供することを目的としてなされたものである。
【課題を解決するための手段】
【０００６】
請求項１の発明は、横置き式インスツルメントホルダと、該横置き式インスツメントホルダの前部下方に設けられた縦置き式インスツルメントホルダとから成り、該縦置き式インスツルメントホルダはインスツルメントのヘッド部を下方にして懸架可能であることを特徴としたものである。
【０００７】
請求項２の発明は、請求項１の発明において、前記横置き式インスツルメントホルダの各インスツルメント載置部と、前記縦置き式インスツルメントホルダの各インスツルメント懸架部とは、同一垂直平面内にあることを特徴としたものである。
【０００８】
請求項３の発明は、請求項２の発明において、前記横置き式インスツルメントホルダの各インスツルメント載置部の前部に開閉蓋を有し、該開閉蓋の各下部に前記縦置き式インスツルメントホルダのインスツルメント懸架部が配設されていることを特徴としたものである。
【０００９】
請求項４の発明は、請求項１乃至３のいずれかの発明において、前記横置き式インスツルメントホルダの各インスツルメント載置部及び前記縦置き式インスツルメントホルダのインスツルメント懸架部に、インスツルメント検知手段を有し、前記インスツルメント載置部或いはインスルツメント懸架部からインスツルメントが取り出された時に、当該インスツルメントを作動可能状態にすることを特徴としたものである。
【発明の効果】
【００１０】
横置き式のインスツルメントホルダと縦置き式のインスツルメントホルダの両者を具備し、両者を使い分け可能としたので、術者の使い勝手のよいインスツルメントホルダを提供することができ、更には、切削具（刃物）の付いたインスツルメントに対しては、該切削具（刃物）が術者の手指を傷つけないようにし、更には、インスツルメントを引き出す時或いは引き出したインスツルメントを戻す時に、該インスツルメントのインスツルメントホースが隣接配置されたインスツルメントのヘッド部に取り付けられている切削具によって傷つけられないようにしたインスツルメントホルダを提供することができる。
【発明を実施するための最良の形態】
【００１１】
図１は、本発明による歯科用インスツルメントホルダの一実施例を説明するための要部概略構成図で、図中、２はワークテーブル、５は縦置き式インスツルメントホルダ、６はインスツルメントホース、８はインスツルメント、８ａは該インスツルメント８のヘッド部に装着された切削具（刃物）で、本発明においては、図２に示した縦置き式インスツルメントホルダ５と、図３に示した横置き式インスツルメントホルダ９の両者を具備し、図示のように、横置き式インスツルメントホルダ９の前部下方に縦置き式インスツルメントホルダ５が配置されている。
【００１２】
横置き式インスツルメントホルダ９の横置き式インスツルメント載置部９1〜９5と縦置き式インスツルメントホルダ５の縦置き式インスツルメント懸架部５1〜５5は、それぞれ対をなして配設され、好ましくは、それぞれの対は、同一垂直平面内に設けられており、各インスツルメント８1〜８5は、それぞれ、横置き式インスツルメントホルダのインスツルメント載置部或いは縦置き式インスツルメントホルダのインスツルメント懸架部のいずれかに選択的に配置可能となっている。
【００１３】
図１に示した例において、インスツルメント８1〜８3は、縦置き式インスツルメントホルダ５に懸架され、インスツルメント８4，８5は、横置き式インスツルメントホルダ９に載置されているが、インスツルメント８1〜８3のヘッド部には切削具８ａ（８ａ1〜８ａ3）が取り付けられており、このような場合には、インスツルメントを縦置き式インスツルメントホルダ５にヘッド部を下向きにして懸架しておくことにより、術者の手指が該切削具８ａに当って該手指を傷つけるような恐れはなく、また、インスツルメントを引き出したり、引き出したインスツルメントをインスツルメントホルダに戻したりする時に、当該インスツルメントのインスツルメントホースが隣接するインスツルメントのヘッド部に装着されている切削具（刃物）に当って傷つくような恐れもない。
【００１４】
また、図１に示した例において、インスツルメント８4，８5は、横置き式インスツルメントホルダ９に載置されているが、図示のように、インスツルメント８4は、ヘッド部に切削具が装着されておらず、また、インスツルメント８5は切削具（刃物）を具備しないインスツルメントである。このように、本発明においては、刃物を装着していない状態のインスツルメント及び刃物を具備していない種類のインスツルメントは、必ずしも、縦置き式のインスツルメントホルダに懸架する必要はなく、術者の選択によって、縦置き式或いは横置き式の所望の形式のインスツルメントホルダを使用することが可能である。
【００１５】
インスツルメントを横置き式インスツルメントホルダ９に載置した場合、縦置き式インスツルメントホルダ５の使用しないインスツルメント懸架部が露出してしまい、見苦しく、また、上部から埃等が付着して不衛生であるので、横置き式インスツルメントホルダの前部（縦置き式インスツルメントホルダのインスツルメント懸架部の上方）に開閉式の蓋１０を設けておき、縦置き式のインスツルメントホルダを使用する時は、該開閉蓋１０を開いておき（図１において、縦置き式インスツルメントホルダを使用しているインスツルメント８1〜８3に対する開閉蓋１０1〜１０3は開いている）、使用しないときは、該開閉蓋１０閉じておく（図１において、縦置き式インスツルメントホルダを使用していないインスツルメント８4，８5に対する開閉蓋１０4，１０5は閉じている）。
【００１６】
上述のように、本発明においては、横置き式インスツルメントホルダと縦置き式インスツルメントホルダの両者を選択して使用することができるが、ユニット本体側では、引き出されたインスツルメント（使用しようとしているインスツルメント）に対して、該インスツルメントを使用可能状態とする準備（例えば、モータ駆動のための電源供給、冷却水の供給、清浄エアーの供給等）を行うが、そのためには、引き出されたインスツルメントを認識する必要がある。
【００１７】
本発明においては、インスツルメントホルダが２種類あり、そのいずれにインスツルメントが配置されるかは、場合によって異なるので、どちらのインスツルメントホルダに配置されていても、引き出された時に、引き出されたことを検知する必要がある。そのため、本発明においては、横置き式インスツルメントホルダにも、縦置き式インスツルメントホルダにも、インスツルメント検知手段を設けておき、いずれもが、インスツルメントが存在しないことを検知した時に、当該インスツルメントが引き出されたと判断し、当該インスツルメントを使用可能状態にするための準備作業を始める。なお、インスツルメントを検知する手段、インスツルメントが引き出された後の準備作業等については、周知であるので、その詳細な説明は省略する。
【図面の簡単な説明】
【００１８】
【図１】本発明による歯科用インスツルメントホルダの一実施例を説明するための要部概略構成図である。
【図２】縦置き式インスツルメントホルダを有する歯科治療ユニットの一例を説明するための全体構成図である。
【図３】横置き式インスツルメントホルダの一例を示す要部構成図である。
【符号の説明】
【００１９】
１…歯科治療椅子、２…ワークテーブル、３…スピットン、４…無影灯、５…縦置き式インスツルメントホルダ、５1〜５5…縦置き式インスツルメント懸架部、６（６1〜６5）…インスツルメントホース、７…フットスイッチ、８…インスツルメント、８ａ（８ａ1〜８ａ3）…切削具（刃物）、９…横置き式インスツルメントホルダ、９1〜９5…横置き式インスツルメント載置部、１０（１０1〜１０5）…開閉蓋。
【図１】
2007275383.tif 000003
【図２】
2007275383.tif 000004
【図３】
2007275383.tif 000005